(57)【要約】【課題】適量の水を経糸に供給することが容易な湿潤装置を提供する。【解決手段】対の絞りローラ２６，２７の直下には水受け器２８が配置されている。絞りローラ２６の直上にはパイプ形状の水供給器３３が絞りローラ２６の長さ方向に沿うように配設されている。水供給器３３は、絞りローラ２６の周面上に水を供給する。【選択図】  図１
2006077362.tif 000002
【特許請求の範囲】
【請求項１】
経糸に糊付けを行なう前に、水で濡らされた経糸を一対の絞りローラの間に通し、前記一対の絞りローラの絞り作用によって前記経糸から水を絞り取る糊付け機における湿潤装置において、
前記一対の絞りローラから落下する水を受けるように前記一対の絞りローラの下方に配置された水受け器と、
前記一対の絞りローラの間に導入される前記経糸よりも上側の絞りローラの周面、又は前記一対の絞りローラよりも上流の経糸の上面側に水を供給する水供給手段とを備え、
前記一対の絞りローラから落下する水を受ける受け部が前記経糸よりも下側の絞りローラに接触しない位置にあるように前記水受け器に設定されている糊付け機における湿潤装置。
【請求項２】
前記水供給手段は、前記上側の絞りローラの周面に水を供給し、前記水供給手段による前記上側の絞りローラの周面における水供給箇所は、前記周面の頂上から前記上側の絞りローラの回転方向に１／４周辿った範囲にある請求項１に記載の糊付け機における湿潤装置。
【請求項３】
前記経糸は、前記一対の絞りローラの把持部において前記一対の絞りローラの周面に対して接線となる経路をとるようにした請求項１及び請求項２のいずれか１項に記載の糊付け機における湿潤装置。
【請求項４】
前記水受け器は、水を溜めない器である請求項１乃至請求項３のいずれか１項に記載の糊付け機における湿潤装置。
【請求項５】
前記水受け器は、水を溜める器である請求項１乃至請求項３のいずれか１項に記載の糊付け機における湿潤装置。
【発明の詳細な説明】
【技術分野】
【０００１】
本発明は、経糸に糊付けを行なう前に、水で濡らされた経糸を一対の絞りローラの間に通し、前記一対の絞りローラの絞り作用によって前記経糸から水を絞り取る糊付け機における湿潤装置に関する。
【背景技術】
【０００２】
経糸に糊付けを行なう前に予め経糸を水で湿潤させる糊付け工程は、糊付け効果を増して糊材の節減をもたらす。一般的には、貯水槽内に貯められた８０°Ｃ〜９０°Ｃの湯に経糸を浸した後、水で湿潤した経糸を所定の水分率まで脱水してから経糸に糊付けを行えば効果的であることが知られている。
【０００３】
経糸を湿潤させるための湿潤装置としては、水を貯めた貯水槽と、貯水槽内の水に浸漬された浸漬ローラと、貯水槽内の水の水面よりも上方で、浸漬ローラの周面に巻き掛けられた経糸を介して浸漬ローラの周面に押圧された絞りローラとを備えた構成が一般的である（例えば、特許文献１参照）。経糸は、貯水槽内の水に浸されて湿潤される。
【０００４】
しかし、貯水槽内の水に経糸を浸すので、絞りローラで絞っても十分に脱水できず、適正な水分率（水分量÷糸重量）にならない場合がある。
特許文献２に開示の装置では、経糸の上面側にノズルから水を吹きかけ、経糸を貯水槽内の水に浸さないようにしている。
【特許文献１】特開２００２−３０９４７７号公報
【特許文献２】特開２００２−２３５２７２号公報
【発明の開示】
【発明が解決しようとする課題】
【０００５】
特許文献２に開示の装置では、経糸から水を絞るための一対の絞りローラのうち、下側の絞りローラを貯水槽内の水に浸漬させているため、この下側の絞りローラが貯水槽内の水をピックアップする。下側の絞りローラによってピックアップされた水は、経糸に付着する。絞りローラによってピックアップされた水を経糸に付着させる構成では、経糸を適正な量の水で湿潤させること、つまり適正な水分率をもたらすことは難しい。
【０００６】
本発明は、適正な水分率をもたらす糊付け機における湿潤装置を提供することを目的とする。
【課題を解決するための手段】
【０００７】
そのために本発明は、経糸に糊付けを行なう前に、水で濡らされた経糸を一対の絞りローラの間に通し、前記一対の絞りローラの絞り作用によって前記経糸から水を絞り取る湿潤装置を対象とし、前記一対の絞りローラから落下する水を受けるように前記一対の絞りローラの下方に配置された水受け器と、前記一対の絞りローラの間に導入される前記経糸よりも上側の絞りローラの周面、又は前記一対の絞りローラよりも上流の経糸の上面側に水を供給する水供給手段とを備えた湿潤装置を構成し、前記一対の絞りローラから落下する水を受ける受け部を、記経糸よりも下側の絞りローラに接触しない位置にあるように前記水受け器に設定した。
【０００８】
経糸を挟み込む上側の絞りローラの周面又は経糸の上面側に水供給手段のみから水を供給するので、適量の水を経糸に供給することが容易である。水受け器が水を貯留しないものである場合には、受け部は、水受け器の内壁面となる。水受け器が水を貯留するものである場合には、受け部は、水受け器の貯留水の液面あるいは水受け器の内壁面となる。
【０００９】
請求項２の発明では、請求項１において、前記水供給手段は、前記上側の絞りローラの周面に水を供給し、前記水供給手段による前記上側の絞りローラの周面における水供給箇所は、前記周面の頂上から前記上側の絞りローラの回転方向に１／４周辿った範囲にあるようにした。
【００１０】
このような範囲は、適量の水を経糸に供給する上で好適な水供給箇所である。
請求項３の発明では、請求項１及び請求項２のいずれか１項において、経糸は、前記一対の絞りローラの把持部において前記一対の絞りローラの周面に対して接線となる経路をとるようにした。
【００１１】
経糸の屈曲箇所が減り、屈曲による経糸の損傷を少なくすることができる。
請求項４の発明では、請求項１乃至請求項３のいずれか１項において、前記水受け器は、水を溜めない器とした。
【００１２】
水を溜めない水受け器は、従来の貯水槽に比べて簡素な構成にできる。
請求項５の発明では、である請求項１乃至請求項３のいずれか１項において、前記水受け器は、水を溜める器とした。
【００１３】
水受け器で受けた水を水供給手段に送って再利用する場合には、この水を貯めて適度の温度に加熱する必要がある。水を貯めるようにした水受け器は、水を加熱する場所として好適である。
【発明の効果】
【００１４】
本発明の糊付け機における湿潤装置は、適量の水を経糸に供給することを容易にするという優れた効果を奏する。
【発明を実施するための最良の形態】
【００１５】
以下、本発明を具体化した第１の実施形態を図１及び図２に基づいて説明する。
図１に示すように、糊付け槽１１の上方にはガイドローラ１２、浸漬ローラ１３、絞りローラ１４，１５及び絞りローラ１６，１７が配設されている。浸漬ローラ１３の一部は、糊付け槽１１内の糊液Ｎに浸漬されている。ガイドローラ１２は、シート状に配列された多数本の経糸Ｔを浸漬ローラ１３へ案内する。絞りローラ１４，１６は、矢印Ｒ１の方向に回転するようになっており、絞りローラ１５，１７は、矢印Ｑ１の方向に回転するようになっている。
【００１６】
ガイドローラ１２によって案内された経糸Ｔは、浸漬ローラ１３に巻き掛けられる。浸漬ローラ１３に巻き掛けられた経糸Ｔは、糊付け槽１１内の糊液Ｎを通過して糊付けされる。糊付けされた経糸Ｔは、絞りローラ１４，１５間で挟まれると共に、絞りローラ１６，１７間で挟まれて糊液の一部を絞り取られる。絞りローラ１６，１７間を通過した経糸Ｔは、図示しない乾燥装置で乾燥された後に図示しない巻き取り部で巻き取られる。
【００１７】
糊付け槽１１には糊液槽１８内の糊液Ｎがポンプ１９によって供給されるようになっている。糊液槽１８内の糊液Ｎが一定量以下になると、糊液供給源２０から糊液が糊液槽１８へ補給されるようになっている。糊付け槽１１内の糊液Ｎは、経糸Ｔに付着して奪われてゆく。しかし、経糸Ｔによって奪われてゆく分よりも多い量の糊液がポンプ１９によって糊付け槽１１内に供給されるので、糊付け槽１１内の糊液は、樋壁２１から溢れ出る。樋壁２１から溢れ出た糊液は、回収ダクト２２を経由して糊液槽１８へ回収される。
【００１８】
糊付け槽１１内には加熱パイプ２３が配設されており、糊液槽１８内には加熱パイプ２４が配設されている。加熱パイプ２３，２４内には蒸気供給源２５から蒸気が供給されるようになっている。加熱パイプ２３内に供給された蒸気は、糊付け槽１１内の糊液Ｎを加熱し、加熱パイプ２４内に供給された蒸気は、糊液槽１８内の糊液Ｎを加熱する。蒸気供給源２５から加熱パイプ２３，２４内に供給される蒸気量は、糊付け槽１１内の糊液Ｎの温度及び糊液槽１８内の糊液Ｎの温度が所望の温度範囲（例えば、９０°Ｃ〜９５°Ｃ）内に入るように調整される。
【００１９】
糊付け槽１１内へ送られるシート状の経糸Ｔは、ガイドローラ１２の手前で一対の絞りローラ２６，２７の間を通される。対となる絞りローラ２６，２７は、経糸Ｔを挟み込んで矢印Ｒｏ，Ｑｏの方向に回転するようになっている。経糸Ｔは、対となる絞りローラ２６，２７の把持部Ｈにおいて絞りローラ２６，２７の周面２６１，２７１に対する接線となる経路をとっている。
【００２０】
対の絞りローラ２６，２７の直下には水受け器２８が配置されている。水受け器２８の底壁２８１は、下に凹む形状となっており、底壁２８１の最下部には回収パイプ２９が接続されている。
【００２１】
水受け器２８よりも下方には貯水槽３０が配設されている。回収パイプ２９は、貯水槽３０の直上に導かれている。貯水槽３０内には水Ｗが貯められている。貯水槽３０内には加熱パイプ３１が配設されている。加熱パイプ３１内には蒸気供給源２５から蒸気が供給されるようになっている。加熱パイプ３１内に供給された蒸気は、貯水槽３０内の水Ｗを加熱する。蒸気供給源２５から加熱パイプ３１内に供給される蒸気量は、貯水槽３０内の水Ｗの温度が所望の温度範囲（例えば、９０°Ｃ〜９５°Ｃ）内に入るように調整される。
【００２２】
貯水槽３０の底壁３０１には供給パイプ３２が接続されている。供給パイプ３２にはパイプ形状の水供給器３３が接続されている。水供給器３３は、絞りローラ２６の直上で絞りローラ２６の長さ方向に沿うように配設されている。
【００２３】
供給パイプ３２の途中にはポンプ３４が介在されている。ポンプ３４は、貯水槽３０内の水Ｗを供給パイプ３２を介して水供給器３３の筒内へ圧送する。貯水槽３０内の水Ｗが一定量以下になると、水供給源３５から水が貯水槽３０へ補給されるようになっている。貯水槽３０内の水Ｗの液面Ｗ１の高さは、レベルセンサ３９によって検出される。レベルセンサ３９によって得られた液面レベル情報は、コントローラＣへ送られる。コントローラＣは、液面レベル情報に基づいて開閉弁４０の開閉を制御する。貯水槽３０内の水Ｗの液面Ｗ１の高さが一定以下になると、コントローラＣは、開閉弁４０を開く。これにより水供給源３５内の水が貯水槽３０へ送られる。貯水槽３０内の水Ｗの液面Ｗ１の高さが所定高さになると、コントローラＣは、開閉弁４０を閉じ、水供給源３５内の水の供給が停止される。水供給源３５からの水供給が停止される所定高さの液面は、水受け器２８より下方に設定されている。
【００２４】
図２（ｂ）に示すように、パイプ形状の水供給器３３の周壁の外周面には溝３６が水供給器３３の長さ方向に沿って形成されている。溝３６の底には複数の吐出孔３７が一定の間隔を置いて形成されている。吐出孔３７は、溝３６と、水供給器３３の筒内とを連通しており、水供給器３３の筒内へ圧送された水が吐出孔３７から溝３６へと吐出される。
【００２５】
図１及び図２（ａ）に示すように、溝３６は、垂直方向に見て、絞りローラ２６の上半周側の降り四半周Ｓ１の範囲内に入る位置に配置されている。つまり、溝３６は、垂直方向に見て、絞りローラ２６の頂上２６２から絞りローラ２６の回転方向Ｒｏに１／４周辿って上半周と下半周との境Ｋに至る範囲（降り四半周Ｓ１）内に入る位置に配置されている。
【００２６】
絞りローラ２６，２７が回転しているときには、ポンプ３４が作動し、貯水槽３０内の水Ｗがポンプ３４の作動によって水供給器３３の筒内へ圧送される。水供給器３３へ供給される水の流量調整は、例えばポンプ３４の回転数を調整することによって容易に行える。
【００２７】
水供給手段としての水供給器３３の筒内へ圧送された水は、複数の吐出孔３７から吐出される。複数の吐出孔３７から吐出された水は、溝３６内で合流して膜状となって絞りローラ２６の降り四半周Ｓ１上に供給される。膜状の水は、絞りローラ２６の降り半周Ｓ２（図１に図示）を伝い降りて把持部Ｈ付近で経糸Ｔに付着する。把持部Ｈ付近で経糸Ｔに付着した水の一部は、絞りローラ２６，２７の絞り作用によって経糸Ｔから絞り取られる。
【００２８】
経糸Ｔから絞り取られた水は、下側の絞りローラ２７の昇り半周Ｕ（図１に示すように把持部Ｈから絞りローラ２７の周面２７１の最下位２７２に至る範囲）を伝い降りる。絞りローラ２７の昇り半周Ｕを伝い降りる水の一部は、絞りローラ２７の回転に伴って把持部Ｈに移行して経糸Ｔに付着する。絞りローラ２７の昇り半周Ｕを伝い降りる水の一部は、水受け器２８の底壁２８１の内壁面２８２上に落下する。水受け器２８の底壁２８１の内壁面２８２上に落下した水は、絞りローラ２７に付着しない。つまり、絞りローラ２７が水受け器２８内に落下した水をピックアップすることはない。下側の絞りローラ２７に接触しない位置にあるように水受け器２８に設けられた底壁２８１の内壁面２８２は、絞りローラ２６，２７から落下する水を受ける受け部である。水受け器２８内に落下した水は、回収パイプ２９を経由して貯水槽３０内へ回収される。
【００２９】
貯水槽３０に回収された水は、ポンプ３４の作動によって水供給器３３へ送られる。貯水槽３０、供給パイプ３２及びポンプ３４は、水受け器２８によって受けられた水を水供給器３３に送る還流手段を構成する。
【００３０】
第１の実施形態では以下の効果が得られる。
（１−１）貯水槽３０内の水は、水供給器３３のみから経糸Ｔを挟み込む上側の絞りローラ２６の周面２６１に供給される。経糸Ｔを挟み込む上側の絞りローラ２６の周面２６１に水供給器３３のみから水を供給する構成では、適量の水を経糸Ｔに供給することが容易である。
【００３１】
（１−２）降り四半周Ｓ１は、絞りローラ２６の回転に伴って経糸Ｔ上に向けて降ってゆく範囲であり、水供給器３３から吐出された水は、経糸Ｔ上に向けて降ってゆく降り四半周Ｓ１上に着地する。降り四半周Ｓ１上に着地した水は、把持部Ｈ付近の経糸Ｔ上に確実に到達する。降り四半周Ｓ１は、水供給器３３から吐出された水を経糸Ｔ上に適量導く上で好適な水供給箇所である。
【００３２】
（１−３）経糸Ｔは、把持部Ｈにおいて一対の絞りローラ２６，２７の周面２６１，２７１に対する接線となる経路をとっている。つまり、経糸Ｔは、屈曲しないで把持部Ｈを通過している。経糸Ｔを屈曲しないで把持部Ｈを通過させる構成は、経糸Ｔの屈曲箇所を減らし、屈曲による経糸Ｔの損傷を少なくすることができる。
【００３３】
（１−４）水受け器２８内に落下した水は、水受け器２８内に溜まることなく貯水槽３０へ移行する。水を貯めない水受け器２８は、経糸を浸すための従来の貯水槽に比べて簡素かつコンパクトな構成にできる。
【００３４】
（１−５）経糸を浸す必要のない貯水槽３０は、経糸を浸すための従来の貯水槽よりもコンパクトにできる。従って、貯水槽３０に貯める水の量は、経糸を浸すための従来の貯水槽に貯める水の量よりも少なくて済む。貯水量の低減は、水を加熱するための熱エネルギーの省エネルギーをもたらす。
【００３５】
次に、図３の第２の実施形態を説明する。第１の実施形態と同じ構成部には同じ符合が用いてある。
絞りローラ２６，２７の直下には貯水式の水受け器３８が配置されている。水受け器３８内には水Ｗが貯められており、絞りローラ２６，２７から落下する水は、水受け器３８内の貯留水の液面上で受けられる。水受け器３８内の水Ｗが一定量以下になると、水供給源３５から水が水受け器３８へ補給されるようになっている。水受け器３８内の貯留水の液面は、絞りローラ２７よりも下方にあり、絞りローラ２７が水受け器３８内の水をピックアップすることはない。絞りローラ２６，２７から落下する水を受ける液面Ｗ１は、下側の絞りローラ２７に接触しない位置にあるように水受け器３８に設定された受け部である。
【００３６】
水受け器３８内の水Ｗは、ポンプ３４の作動によって水供給器３３へ供給される。水受け器３８内には加熱パイプ３１が配設されている。加熱パイプ３１内には蒸気供給源２５（図１参照）から蒸気が供給されるようになっている。加熱パイプ３１内に供給された蒸気は、水受け器３８内の水Ｗを加熱する。
【００３７】
第２の実施形態では、第１の実施形態における（１−１）〜（１−３）項と同様の効果が得られる。
水Ｗを貯めるようにした水受け器３８は、水Ｗを加熱する場所として好適である。
【００３８】
次に、図４の第３の実施形態を説明する。第１の実施形態と同じ構成部には同じ符合が用いてある。
水供給器３３は、絞りローラ２６，２７の把持部Ｈよりも上流の経糸Ｔの直上、かつ水受け器２８の直上に配設されている。水供給器３３の吐出孔３７から吐出された水は、把持部Ｈよりも上流の経糸Ｔの上面側に落下する。経糸Ｔ上に落下した水の一部は、水受け器２８内に落下し、経糸Ｔ上に落下した水の一部は、経糸Ｔの移動に伴って把持部Ｈへ移行する。経糸Ｔと共に把持部Ｈへ移行した水の一部は、絞りローラ２６，２７の絞り作用によって絞り取られる。
【００３９】
経糸Ｔから絞り取られた水は、下側の絞りローラ２７の昇り半周Ｕを伝い降りる。絞りローラ２７の昇り半周Ｕを伝い降りる水の一部は、絞りローラ２７の回転に伴って把持部Ｈに移行して経糸Ｔに付着する。絞りローラ２７の昇り半周Ｕを伝い降りる水の一部は、水受け器２８内に落下する。
【００４０】
貯水槽３０内の水は、水供給器３３のみから把持部Ｈより上流の経糸Ｔの上面側に供給される。把持部Ｈより上流の経糸Ｔ上に水供給器３３のみから水を供給する構成では、適量の水を経糸Ｔに供給することが容易である。
【００４１】
又、第３の実施形態では、第１の実施形態における（１−３）項及び（１−４）項と同様の効果が得られる。
次に、図５の第４の実施形態を説明する。第１の実施形態と同じ構成部には同じ符合が用いてある。
【００４２】
絞りローラ２６，２７の上方には貯水槽３０が配設されている。貯水槽３０内の水が一定量以下になると、水供給源３５から水が貯水槽３０へ補給されるようになっている。水受け器２８に接続された回収パイプ２９は、貯水槽３０の直上に導かれており、回収パイプ２９の途中にはポンプ３４が介在されている。貯水槽３０の底壁３０１に接続された供給パイプ３２の途中には手動式の流量調整弁４１が介在されている。
【００４３】
貯水槽３０内の水Ｗは、供給パイプ３２及び流量調整弁４１を経由して水供給器３３へ供給される。水供給器３３へ供給された水は、吐出孔３７から絞りローラ２６上に供給される。絞りローラ２７から水受け器２８内に落下した水は、回収パイプ２９内へ導かれる。回収パイプ２９内へ導かれた水は、ポンプ３４の作動によって貯水槽３０内へ排出される。
【００４４】
水供給器３３への水の供給流量の調整は、流量調整弁４１における弁開度（通過断面積）を調整することによって容易に行える。
第４の実施形態では、第１の実施形態における（１−１）〜（１−５）項と同様の効果が得られる。
【００４５】
本発明では以下のような実施形態も可能である。
（１）第１の実施形態において、把持部Ｈにおいて経糸Ｔを屈曲させて把持部Ｈを通過させるようにしてもよい。
【００４６】
（２）第１の実施形態において、把持部Ｈに向けて水供給器３３から水を供給するようにしてもよい。
（３）第１の実施形態において、絞りローラ２６の周面２６１に接触して水を絞りローラ２６の周面２６１に塗布する水供給手段を用いてもよい。
【００４７】
（４）第１の実施形態において、水受け器２８の直上、かつ絞りローラ２６，２７の上流側又は下流側に一対の絞りローラを配設し、この対の絞りローラの間にも経糸を通すようにしてもよい。
【００４８】
前記した実施形態から把握できる技術的思想について以下に記載する。
〔１〕前記経糸よりも下側の絞りローラより下方に液面が位置するように前記一対の絞りローラから落下する水を貯留する水貯留部を備えている請求項１乃至請求項５のいずれか１項に記載の糊付け機における湿潤装置。
【００４９】
ここにおける水貯留部は、貯水槽３０あるいは水受け器３８のことである。
〔２〕前記水受け器によって受けられた水を前記水供給手段に送る還流手段を備えている請求項１乃至請求項５及び前記〔１〕項のいずれか１項に記載の糊付け機における湿潤装置。
【図面の簡単な説明】
【００５０】
【図１】第１の実施形態を示す糊付け機の概略図。
【図２】（ａ）は要部拡大断面図。（ｂ）は（ａ）のＡ−Ａ線断面図。
【図３】第２の実施形態を示す要部概略図。
【図４】第３の実施形態を示す要部概略図。
【図５】第４の実施形態を示す要部概略図。
【符号の説明】
【００５１】
２６，２７…絞りローラ。２６１，２７１…周面。２６２…頂上。２８，３８…水受け器。２８２…受け部としての内壁面。３３…水供給手段としての水供給器。Ｈ…把持部。Ｔ…経糸。Ｗ…水。Ｗ１…受け部としての液面。
【図１】
2006077362.tif 000003
【図２】
2006077362.tif 000004
【図３】
2006077362.tif 000005
【図４】
2006077362.tif 000006
【図５】
2006077362.tif 000007